(57)【要約】ここで開示されている尿道カテーテル挿入キットは、作業トレーと、保管トレーと、尿道カテーテルと、排出管及び排出容器を含む排出システムと、を含み得る。作業トレーは、保管トレーから作業トレーを吊すことにより、保管トレーと入れ子になるように構成され得る。少なくとも作業トレーは、尿道カテーテル挿入キットのいくつかの構成要素を保持するように構成された、いくつかの事前形成されたセクションを有する。作業トレーの事前形成されたセクションのうちの少なくとも１つのセクションは、尿道カテーテルを保持するように構成されたカテーテルセクションを含む。保管トレーは排出システムを保持するように構成され得る。またここで開示されているのは、尿道カテーテル挿入キットを用いた尿道カテーテル挿入の方法である。
2021528162.tif 000002
【特許請求の範囲】
【請求項１】
尿道カテーテル挿入キットであって、
保管トレーと、
前記尿道カテーテル挿入キットの複数の構成要素を保持するように設計された、複数の事前形成されたセクションを含む作業トレーであって、前記保管トレーから作業トレーを吊すことにより前記保管トレーと入れ子になるように設計された作業トレーと、
前記作業トレーの前記複数の事前形成されたセクションのうちのカテーテルセクションに配置された尿道カテーテルと、
前記保管トレーに配置された排出システムであって、排出管および排出容器を含み、排出管が前記尿道カテーテルに接続される排出システムと、
を備える尿道カテーテル挿入キット。
【請求項２】
前記保管トレーから前記作業トレーを吊すことは、板紙製の保管トレーの折り曲げられた長手方向の縁またはタブを、前記作業トレーの長手方向の側面と張り出し部との間の間隙に挿入することを含み、間隙は、板紙製の保管トレーの折り曲げられた長手方向の縁またはタブと係合して、前記作業トレーと前記保管トレーとをともに固定するように構成されたいくつかの突起を含む、請求項１に記載の尿道カテーテル挿入キット。
【請求項３】
前記保管トレーは、前記作業トレーからの作業中に、前記保管トレーに保管された前記尿道カテーテル挿入キットの前記構成要素へのアクセスを容易にするように設計された前記保管トレーの端部の切り欠きを含む、請求項１または２に記載の尿道カテーテル挿入キット。
【請求項４】
前記作業トレーは、前記カテーテルセクションの底部と端部との間に形成された前記カテーテルセクションのコーナー領域に切り欠きを含み、前記排出管が前記カテーテルセクションの切り欠きを介して前記尿道カテーテルに接続される、請求項１または２に記載の尿道カテーテル挿入キット。
【請求項５】
前記カテーテルセクションの前記コーナー領域の前記切り欠きの側面は、前記排出管を前記尿道カテーテルから切り離さずに、前記排出管を前記保管トレーから取り外すことを可能にするように設計される、請求項４に記載の尿道カテーテル挿入キット。
【請求項６】
前記作業トレーは、前記カテーテルセクションの前記コーナー領域の前記切り欠きと前記カテーテルセクションの残りの部分との間に位置する排出管狭窄部を含み、該排出管狭窄部は、前記排出管の一部を保持して、前記尿道カテーテルが使用されるまで前記作業トレー内の前記尿道カテーテルの初期位置を維持するように構成される、請求項４または５に記載の尿道カテーテル挿入キット。
【請求項７】
前記尿道カテーテルを前記排出管に接続するように構成された、尿サンプリングポートを含むコネクタをさらに備え、コネクタは、少なくとも前記尿道カテーテル挿入キットの前記尿道カテーテルに事前に接続される、請求項１〜６のいずれか一項に記載の尿道カテーテル挿入キット。
【請求項８】
前記カテーテル用の潤滑剤を含む潤滑剤容器をさらに備え、前記作業トレーの前記事前形成されたセクションのうちの少なくとも１つのセクションは、潤滑剤容器を保持するように構成された潤滑剤容器セクションを含む、請求項１〜７のいずれか一項に記載の尿道カテーテル挿入キット。
【請求項９】
前記カテーテルのバルーンを膨らませるための膨張剤を含む膨張剤容器をさらに備え、前記作業トレーの前記事前形成されたセクションのうちの少なくとも１つのセクションは、膨張剤容器を保持するように構成された膨張剤容器セクションを含む、請求項１〜８のいずれか一項に記載の尿道カテーテル挿入キット。
【請求項１０】
消毒剤のパッケージと１つ以上の綿棒とを含む生殖器準備キットをさらに備え、前記作業トレーの前記事前形成されたセクションのうちの少なくとも１つのセクションは、パッケージからの消毒剤を保持するためのウェルと、ウェル内の対応する１つ以上の吸収ヘッドを有する１つ以上の綿棒をそれぞれ保持するための１つ以上の角度のついたチャネルと、によって構成された生殖器準備セクションを含む、請求項１〜９のいずれか一項に記載の尿道カテーテル挿入キット。
【請求項１１】
前記パッケージからの前記消毒剤が前記ウェル内で分配される際に、前記１つ以上の吸収ヘッドに前記消毒剤が染み込むように、前記ウェルは、前記パッケージからの前記消毒剤の体積と前記１つ以上の吸収ヘッドの体積とを足した合計の体積に等しい体積になるような寸法に形成される、請求項１０に記載の尿道カテーテル挿入キット。
【請求項１２】
尿サンプリング容器をさらに備え、前記作業トレーの前記事前形成されたセクションのうちの少なくとも１つのセクションは、尿サンプリング容器を保持するように構成された尿サンプリング容器セクションを含む、請求項１〜１１のいずれか一項に記載の尿道カテーテル挿入キット。
【請求項１３】
尿サンプリング容器をさらに備え、前記保管トレーは、尿サンプリング容器を保持するように設計される、請求項１〜１１のいずれか一項に記載の尿道カテーテル挿入キット。
【請求項１４】
少なくとも前記作業トレーに直接印刷された段階的なカテーテル挿入の説明をさらに有する、請求項１〜１３のいずれか一項に記載の尿道カテーテル挿入キット。
【請求項１５】
少なくとも前記作業トレーに直接印刷された前記段階的なカテーテル挿入の説明とともに、前記作業トレーを前記保管トレーから分離させないための説明をさらに有する、請求項１４に記載の尿道カテーテル挿入キット。
【請求項１６】
少なくとも前記作業トレーの前記構成要素を保護するように構成された保護板紙であって、前記作業トレーは、保護板紙を保持するように構成された、前記作業トレーの外周部の周りのリップを含む、保護板紙と、
周囲の手入れキットであって、前記尿道カテーテル挿入キットは、保護板紙と前記尿道カテーテル挿入キットの外側のパッケージとの間に、周囲の手入れキットを含むように構成される、周囲の手入れキットと、
をさらに備える、請求項１〜１５のいずれか一項に記載の尿道カテーテル挿入キット。
【請求項１７】
尿道カテーテル挿入キットであって、
作業トレーおよび保管トレーであって、
作業トレーは、保管トレーから作業トレーを吊すことにより、保管トレーと入れ子になるように構成され、
少なくとも作業トレーは、尿道カテーテル挿入キットの複数の構成要素を保持する、複数の事前形成されたセクションを有する、作業トレーおよび保管トレーと、
フォーリーカテーテルであって、
作業トレーの事前形成されたセクションのうちの少なくとも１つのセクションは、カテーテルを含むカテーテルセクションを含み、
作業トレーは、カテーテルセクションの底部と端部との間に形成されたカテーテルセクションのコーナー領域に切り欠きを有する、フォーリーカテーテルと、
排出管および排出容器を含む排出システムであって、
排出システムは、尿サンプリングポートを有するコネクタを介してカテーテルに事前に接続され、
カテーテルセクションのコーナー領域の切り欠きは、排出管が切り欠きの底部を通って、排出システムが保管される保管トレーから作業トレーに通過できるように構成される、排出システムと、
カテーテルを潤滑するための、潤滑剤で満たされたシリンジであって、
作業トレーの事前形成されたセクションのうちの少なくとも１つのセクションは、潤滑剤で満たされたシリンジを含む潤滑剤シリンジセクションを含む、潤滑剤で満たされたシリンジと、
カテーテルのバルーンを膨らませるための、生理食塩水で満たされたシリンジであって、
作業トレーの事前形成されたセクションのうちの少なくとも１つのセクションは、生理食塩水で満たされたシリンジを含む生理食塩水シリンジセクションを含む、生理食塩水で満たされたシリンジと、
消毒剤のパッケージと、１つ以上の綿棒とを有する生殖器準備キットであって、
作業トレーの事前形成されたセクションのうちの少なくとも１つのセクションは、パッケージからの消毒剤を保持するためのウェルと、ウェル内の吸収ヘッドを有する１つ以上の綿棒を保持する１つ以上の角度のついたチャネルと、によって構成された生殖器準備セクションを含む、生殖器準備キットと、
尿サンプリング容器であって、
作業トレーの事前形成されたセクションのうちの少なくとも１つのセクションが、尿サンプリング容器を含む尿サンプリング容器セクションを有する、または
作業トレーの代わりに、保管トレーが尿サンプリング容器を保持するように構成される、尿サンプリング容器と、
少なくとも作業トレーに直接印刷された段階的なカテーテル挿入の説明と、を備える尿道カテーテル挿入キット。
【請求項１８】
前記作業トレーは、前記カテーテルセクションの前記コーナー領域の前記切り欠きと前記カテーテルセクションの残りの部分との間に位置する排出管狭窄部を含み、該排出管狭窄部は、前記排出管の一部を保持して、前記尿道カテーテルが使用されるまで前記作業トレー内の前記尿道カテーテルの初期位置を維持するように構成される、請求項１７に記載の尿道カテーテル挿入キット。
【請求項１９】
尿道カテーテル挿入キットから外側のパッケージを取り除くことであって、外側のパッケージを取り除くことにより、保管トレーに吊り下げられて入れ子になった作業トレーをむき出しにし、作業トレーは、少なくとも作業トレーに直接印刷された段階的なカテーテル挿入の説明を備えており、作業トレーは、尿道カテーテル挿入キットを用いた尿道カテーテル挿入の方法のための複数の構成要素を保持する、複数の事前形成されたセクションを含むこと、
周囲の手入れキットを用いて患者の肛門周囲の領域を清潔にすることであって、患者の肛門周囲の領域を清潔にすることは、尿道カテーテル挿入キットの外側のパッケージと、板紙の下の作業トレー内の尿道カテーテル挿入キットの構成要素を保護するように構成された保護板紙との間から、周囲の手入れキットを取り外すことを含むこと、
消毒剤のパッケージと、１つ以上の綿棒とを有する生殖器準備キットを用いて、患者の生殖器領域の準備をすることであって、患者の生殖器領域の準備をすることは、作業トレーの生殖器準備セクションから消毒剤のパッケージを取り外すことと、消毒剤を生殖器準備セクションのウェルに分配することにより、生殖器準備セクションの１つ以上の角度のついたチャネル内にそれぞれ保持された１つ以上の対応する綿棒の１つ以上の吸収ヘッドに染み込ませることと、を含むこと、および
フォーリーカテーテルを用いて患者にカテーテルを挿入することであって、患者にカテーテルを挿入することは、作業トレーのカテーテルセクションからカテーテルを取り外すことと、カテーテルを排出システムの排出管と排出容器のどちらからも外すことなく、保管トレーから排出システムを取り外すことと、を含むこと、
を備える、尿道カテーテル挿入キットを用いた尿道カテーテル挿入の方法。
【請求項２０】
前記作業トレーは、前記カテーテルセクションの底部と端部との間に形成された前記カテーテルセクションのコーナー領域に切り欠きを有し、
切り欠きは、前記作業トレーの前記カテーテルセクションから前記カテーテルを取り外すことと、前記カテーテルを前記排出システムから外すことなく前記保管トレーから前記排出システムを取り外すことと、の両方を可能にする、請求項１９に記載の方法。
【請求項２１】
前記作業トレー内の、前記カテーテルセクションの前記コーナー領域の前記切り欠きと前記カテーテルセクションの残りの部分との間にある排出管狭窄部から、前記排出管を取り外すことをさらに備える、請求項２０に記載の方法。
【請求項２２】
前記作業トレーに直接印刷された前記段階的なカテーテル挿入の説明に従って、前記消毒剤を前記作業トレーの前記生殖器準備セクションの前記ウェルに分配する、請求項１９〜２１のいずれか一項に記載の方法。
【請求項２３】
前記患者の生殖器領域の準備をすることは、前記作業トレーに直接印刷された前記段階的なカテーテル挿入の説明に従い、利き手と逆の手を用いて前記患者の生殖器を引っ込めることと、利き手を用いて前記消毒剤で前記患者の生殖器を綿棒で拭くことと、を含む、請求項１９〜２２のいずれか一項に記載の方法。
【請求項２４】
前記作業トレーの潤滑剤シリンジセクションから潤滑剤で満たされたシリンジを取り出すことと、
前記作業トレーに直接印刷された前記段階的なカテーテル挿入の説明に従って、潤滑剤を潤滑剤で満たされたシリンジから前記作業トレーの潤滑剤シリンジセクションに分配することと、
前記作業トレーに直接印刷された前記段階的なカテーテル挿入の説明に従って、前記作業トレーの前記カテーテルセクションに分配された潤滑剤で前記カテーテルを潤滑することと、をさらに備える、請求項１９〜２３のいずれか一項に記載の方法。
【請求項２５】
前記作業トレーの生理食塩水シリンジセクションから生理食塩水で満たされたシリンジを取り出すことと、
前記作業トレーに直接印刷された前記段階的なカテーテル挿入の説明に従って、前記カテーテルのバルーンを膨らませるために前記カテーテルに生理食塩水で満たされたシリンジを取り付けることと、をさらに備える、請求項１９〜２４のいずれか一項に記載の方法。
【請求項２６】
前記患者にカテーテルを挿入することは、前記作業トレーに直接印刷された前記段階的なカテーテル挿入の説明に従って、前記カテーテルを前記患者の尿道に挿入することと、前記生理食塩水で満たされたシリンジからの生理食塩水で前記バルーンを膨らませることと、を含む、請求項２５に記載の方法。
【発明の詳細な説明】
【技術分野】
【０００１】
本発明は、使用のための統合された指示を備えた尿道カテーテル挿入キット及びその方法に関する。
【背景技術】
【０００２】
尿道カテーテルは病院等の医療施設で患者から尿を排出させるために用いられる。しかしながら、院内感染（ＨＡＩ）の２番目に多い形態は、カテーテル関連尿路感染症（ＣＡＵＴＩ）である。そのため、病院は、標準治療の一環として厳格な無菌技術に準拠することにより、ＣＡＵＴＩの発症率を削減する方法に関心を持っている。しかし、病院のその標準治療を満たす能力に影響を与える多くの要因が存在する。これらの要因は、医療従業者の訓練と経験の側面と、患者の要因（例えば、一般的な健康状態、体重、解剖学的構造）と、環境要因と、キットの構成要素、キットの構成要素の様々なレイアウト、及びそのようなキットを使用するための指示、を含む尿道カテーテル挿入キットの特性と、を含む。医療分野では、カテーテルを患者に挿入するための、簡単で安全で信頼性の高い標準的な方法が必要である。ここで開示されているのは、尿道カテーテル挿入キットを含むカテーテル挿入キットであり、上記の内容に対処する、使用のための統合された指示及びその方法を備える。
【発明の概要】
【０００３】
ここで開示されているのは尿道カテーテル挿入キットであり、いくつかの実施形態では、作業トレーと、保管トレーと、カテーテル（非限定的な例として、尿道カテーテル等の流体排出カテーテル）と、排出管及び排出容器を含む排出システムと、を含む。作業トレーは、保管トレーから作業トレーを吊すことにより、保管トレーと入れ子になるように構成される。いくつかの実施形態では、作業トレーは、少なくとも概ねそれらの分離を防ぐために、保管トレーに固定される。少なくとも作業トレーは、尿道カテーテル挿入キットのいくつかの構成要素を保持するように構成された、いくつかの事前形成されたセクションを有する。作業トレーの事前形成されたセクションのうちの少なくとも１つのセクションは、カテーテルを保持するように構成されたカテーテルセクションを含む。保管トレーは排出システムを保持するように構成される。
【０００４】
いくつかの実施形態では、保管トレーから作業トレーを吊すことは、板紙製の保管トレーの折り曲げられた長手方向の縁またはタブを、作業トレーの長手方向の側面と張り出し部との間の間隙に挿入することを含む。間隙は、板紙製の保管トレーの折り曲げられた長手方向の縁またはタブと係合し、作業トレーと保管トレーとをともに固定するように構成されたいくつかの突起を含む。
【０００５】
いくつかの実施形態では、保管トレーは、保管トレーの端部に切り欠きを有する。保管トレーの端部の切り欠きは、作業トレーからの作業中に、保管トレーに保管された尿道カテーテル挿入キットの構成要素へのアクセスを容易にするように構成される。
【０００６】
いくつかの実施形態では、作業トレーはカテーテルセクションの底部と端部との間に形成されたカテーテルセクションのコーナー領域に切り欠きを有する。カテーテルセクションのコーナー領域の切り欠きは、排出管が保管トレーに保管された際に、排出管が切り欠きの底部を通って保管トレーから作業トレーに通過できるように構成される。他の実施形態によれば、切り欠きはないが、その代わりに保管トレーの切り欠きの端部に最も近い作業トレーの縁は、排出管が保管トレーから作業トレーに延びることを可能にするのに十分短い。
【０００７】
いくつかの実施形態では、カテーテルセクションのコーナー領域の切り欠きの側面は、排出管とカテーテルが尿道カテーテル挿入キットにおいて事前に接続されている場合に、排出管をカテーテルから切り離さずに、排出管を保管トレーから取り外すことを可能にするように構成される。
【０００８】
いくつかの実施形態では、作業トレーは、カテーテルセクションのコーナー領域の切り欠きとカテーテルセクションの残りの部分との間に、排出管狭窄部を有する。排出管狭窄部は、排出管の一部を保持し、尿道カテーテルが使用されるまで、作業トレーの尿道カテーテルの初期位置を維持するように構成される。
【０００９】
いくつかの実施形態では、尿道カテーテル挿入キットはさらに、カテーテルを排出管に接続するコネクタを有する。コネクタは、少なくとも尿道カテーテル挿入キットのカテーテルに事前に接続される。コネクタは、尿サンプリングポートを有する。
【００１０】
いくつかの実施形態では、尿道カテーテル挿入キットはさらに、カテーテル用の潤滑剤を含む潤滑剤容器を含む。作業トレーの事前形成されたセクションのうちの少なくとも１つのセクションは、潤滑剤容器を保持するように構成された潤滑剤容器セクションを含む。
【００１１】
いくつかの実施形態では、尿道カテーテル挿入キットはさらに、カテーテルのバルーンを膨らませるための膨張剤を含む膨張剤容器を含む。作業トレーの事前形成されたセクションのうちの少なくとも１つのセクションは、膨張剤容器を保持するように構成された膨張剤容器セクションを含む。
【００１２】
いくつかの実施形態では、尿道カテーテル挿入キットはさらに、消毒剤のパッケージと、１つ以上の綿棒を有する生殖器準備キットを含む。作業トレーの事前形成されたセクションのうちの少なくとも１つのセクションは、パッケージからの消毒剤を保持するためのウェルによって構成された生殖器準備セクションを含む。生殖器準備セクションはまた、ウェル内に、対応する１つ以上の吸収ヘッドを有する１つ以上の綿棒をそれぞれ保持する１つ以上の角度のついたチャネルを含む。
【００１３】
いくつかの実施形態では、パッケージからの消毒剤がウェル内で分配される際に１つ以上の吸収ヘッドに消毒剤が染み込むように、ウェルは、パッケージからの消毒剤の体積と１つ以上の吸収ヘッドの体積を足した合計の体積に等しい体積になるような寸法に形成される。
【００１４】
いくつかの実施形態では、尿道カテーテル挿入キットはさらに、尿サンプリング容器を含む。作業トレーの事前形成されたセクションのうちの少なくとも１つのセクションは、尿サンプリング容器を保持するように構成された尿サンプリング容器セクションを含む。あるいは、作業トレーの代わりに、保管トレーが尿サンプリング容器を保持するように構成される。
【００１５】
いくつかの実施形態では、尿道カテーテル挿入キットはさらに、少なくとも作業トレーに直接印刷された段階的なカテーテル挿入の説明を含む。
いくつかの実施形態では、尿道カテーテル挿入キットはさらに、少なくとも作業トレーに直接印刷された段階的なカテーテル挿入の説明とともに、作業トレーを保管トレーから分離させないための説明を含む。
【００１６】
いくつかの実施形態では、尿道カテーテル挿入キットはさらに、少なくとも作業トレーの構成要素を保護するように構成された保護板紙を含む。作業トレーは、板紙を保持するように構成された、作業トレーの外周部の周りのリップを含む。
【００１７】
いくつかの実施形態では、尿道カテーテル挿入キットはさらに、周囲の手入れキットを含む。尿道カテーテル挿入キットは、板紙と尿道カテーテル挿入キットの外側のパッケージとの間に、周囲の手入れキットを含むように構成される。
【００１８】
同じくここで開示されているのは、いくつかの実施形態では、フォーリーカテーテル、カテーテルを潤滑するための潤滑剤で満たされたシリンジ、カテーテルのバルーンを膨らませるための生理食塩水で満たされたシリンジ、消毒剤のパッケージと１つ以上の綿棒とを含む生殖器準備キット、及び尿サンプリング容器、を有する作業トレーと、排出管及び排出容器を含む排出システムを有する保管トレーと、少なくとも作業トレーに直接印刷された段階的なカテーテル挿入の説明と、を含む尿道カテーテル挿入キットである。少なくとも作業トレーは、尿道カテーテル挿入キットのいくつかの構成要素を保持する、いくつかの事前形成されたセクションを有する。作業トレーの事前形成されたセクションのうちの少なくとも１つのセクションは、カテーテルを含むカテーテルセクションと、潤滑剤で満たされたシリンジを含む潤滑剤シリンジセクションと、生理食塩水で満たされたシリンジを含む生理食塩水シリンジセクションと、消毒剤のパッケージと１つ以上の綿棒とを含む生殖器準備セクションと、を有する。作業トレーの事前形成されたセクションのうちの少なくとも１つのセクションは、尿サンプリング容器を含む尿サンプリング容器セクションを有する。あるいは、作業トレーの代わりに、保管トレーが尿サンプリング容器を保持するように構成される。生殖器準備セクションは、パッケージからの消毒剤を保持するためのウェルによって構成される。生殖器準備セクションはまた、ウェル内に、吸収ヘッドを有する１つ以上の綿棒を保持する１つ以上の角度のついたチャネルを含む。作業トレーは、保管トレーから作業トレーを吊すことにより、保管トレーと入れ子になるように構成される。作業トレーは、カテーテルセクションの底部と端部との間に形成されたカテーテルセクションのコーナー領域に切り欠きを有する。排出システムは、尿サンプリングポートを有するコネクタを介してカテーテルに事前に接続される。カテーテルセクションのコーナー領域の切り欠きは、排出管がカテーテルセクションのコーナー領域の切り欠きの底部を通って、排出システムが保管される保管トレーから作業トレーに通過できるように構成される。
【００１９】
いくつかの実施形態では、作業トレーは、カテーテルセクションのコーナー領域の切り欠きとカテーテルセクションの残りの部分との間に、排出管狭窄部を有する。排出管狭窄部は、排出管の一部を保持し、尿道カテーテルが使用されるまで、作業トレーの尿道カテーテルの初期位置を維持するように構成される。
【００２０】
同じくここで開示されているのは、いくつかの実施形態では、尿道カテーテル挿入キットから外側のパッケージを取り除くことと、周囲の手入れキットを用いて患者の肛門周囲の領域を清潔にすることと、生殖器準備キットを用いて患者の生殖器領域の準備をすることと、フォーリーカテーテルを用いて患者にカテーテルを挿入することと、を含む尿道カテーテル挿入キットを用いた尿道カテーテル挿入の方法である。尿道カテーテル挿入キットから外側のパッケージを取り除くことは、少なくとも作業トレーに直接印刷された段階的なカテーテル挿入の説明を備え、保管トレーに吊り下げられて入れ子になった作業トレーをむき出しにする。作業トレーは、尿道カテーテル挿入キットを用いた尿道カテーテル挿入の方法のためのいくつかの構成要素を保持する、いくつかの事前形成されたセクションを有する。尿道カテーテル挿入キットから外側のパッケージを取り除くことはさらに、板紙の下の作業トレー内の尿道カテーテル挿入キットの構成要素を保護するように構成された保護板紙をむき出しにする。周囲の手入れキットを用いて患者の肛門周囲の領域を清潔にすることは、尿道カテーテル挿入キットの外側のパッケージと作業トレーの上部の板紙との間から周囲の手入れキットを取り外すことを含む。生殖器準備キットを用いて患者の生殖器領域の準備をすることは、生殖器準備キットの消毒剤のパッケージと１つ以上の綿棒を用いることを含む。患者の生殖器領域の準備をすることは、作業トレーの生殖器準備セクションから消毒剤のパッケージを取り外すことと、消毒剤を生殖器準備セクションのウェルに分配することと、それにより、生殖器準備セクションの１つ以上の角度のついたチャネル内にそれぞれ保持された１つ以上の対応する綿棒の１つ以上の吸収ヘッドに染み込ませることを含む。カテーテルを用いて患者にカテーテルを挿入することは、作業トレーのカテーテルセクションからカテーテルを取り外すことと、カテーテルを排出システムの排出管と排出容器のどちらからも外すことなく、保管トレーから排出システムを取り外すことを含む。
【００２１】
いくつかの実施形態では、作業トレーはカテーテルセクションの底部と端部との間に形成されたカテーテルセクションのコーナー領域に切り欠きを有する。切り欠きは、作業トレーのカテーテルセクションからカテーテルを取り外すことと、カテーテルを排出システムから外すことなく保管トレーから排出システムを取り外すことと、の両方を可能にする。
【００２２】
いくつかの実施形態では、方法はさらに、作業トレー内のカテーテルセクションのコーナー領域の切り欠きとカテーテルセクションの残りの部分との間にある排出管狭窄部から排出管を取り外すことを含む。
【００２３】
いくつかの実施形態では、消毒剤を作業トレーの生殖器準備セクションのウェルに分配することは、作業トレーに直接印刷された段階的なカテーテル挿入の説明に従う。
いくつかの実施形態では、患者の生殖器領域の準備をすることは、作業トレーに直接印刷された段階的なカテーテル挿入の説明に従い、利き手と逆の手を用いて患者の生殖器を引っ込めることと、利き手を用いて消毒剤で患者の生殖器を綿棒で拭くことと、を含む。
【００２４】
いくつかの実施形態では、方法はさらに、作業トレーの潤滑剤シリンジセクションから潤滑剤で満たされたシリンジを取り外すことと、潤滑剤で満たされたシリンジから作業トレーのカテーテルセクションに潤滑剤を分配することと、作業トレーの潤滑剤シリンジセクションに分配された潤滑剤でカテーテルを潤滑することと、を含む。少なくとも、潤滑剤をカテーテルセクションに分配することと、作業トレーのカテーテルセクションに分配された潤滑剤でカテーテルを潤滑することとは、作業トレーに直接印刷された段階的なカテーテル挿入の説明に従う。
【００２５】
いくつかの実施形態では、方法はさらに、作業トレーの生理食塩水シリンジセクションから生理食塩水で満たされたシリンジを取り外すことと、カテーテルのバルーンを膨らませるために生理食塩水で満たされたシリンジをカテーテルに取り付けることと、を含む。少なくとも、カテーテルに生理食塩水で満たされたシリンジを取り付けることは、作業トレーに直接印刷された段階的なカテーテル挿入の説明に従う。
【００２６】
いくつかの実施形態では、患者にカテーテルを挿入することは、カテーテルを患者の尿道に挿入することと、生理食塩水で満たされたシリンジからの生理食塩水でバルーンを膨らませることと、を含む。少なくとも、生理食塩水で満たされたシリンジからの生理食塩水でバルーンを膨らませることは、作業トレーに直接印刷された段階的なカテーテル挿入の説明に従う。
【００２７】
ここで提供されるコンセプトのこれら及びその他の特徴は、そのようなコンセプトの特定の実施形態をより詳細に開示する添付された図面及び以下の説明を考慮すると、当業者にとってより明白になるだろう。
【図面の簡単な説明】
【００２８】
【図１Ａ】図１Ａは、いくつかの実施形態に係る、尿道カテーテル挿入キットの作業トレー内のいくつかの構成要素を少なくとも含む、尿道カテーテル挿入キットの斜視図を提供する。
【図１Ｂ】図１Ｂは、図１Ａの尿道カテーテル挿入キットの上面図を提供する。
【図１Ｃ】図１Ｃは、図１Ａの尿道カテーテル挿入キットの第１断面図を提供する。
【図１Ｄ】図１Ｄは、図１Ａの尿道カテーテル挿入キットの第２断面図を提供する。
【図２Ａ】図２Ａは、いくつかの実施形態に係る、尿道カテーテル挿入キットの別の入れ子になったトレーの斜視図を提供する。
【図２Ｂ】図２Ｂは、図２Ａの入れ子になったトレーの上面図を提供する。
【図３Ａ】図３Ａは、いくつかの実施形態に係る尿道カテーテル挿入キットの別の入れ子になったトレーの斜視図を提供する。
【図３Ｂ】図３Ｂは、図３Ａの入れ子になったトレーの上面図を提供する。
【図４Ａ】図４Ａは、尿道カテーテル挿入キットの斜視図を示す。
【図４Ｂ】図４Ｂは、尿道カテーテル挿入キットの別の図を示す。
【図５】図５は、いくつかの実施形態に係る尿道カテーテル挿入キットを示す。
【図６Ａ】図６Ａは、いくつかの実施形態に係る尿道カテーテル挿入キットの別の入れ子になったトレーの斜視図を提供する。
【図６Ｂ】図６Ｂは、いくつかの実施形態に係る尿道カテーテル挿入キットの別の作業トレーの上面図を提供する。
【図６Ｃ】図６Ｃは、いくつかの実施形態に係る尿道カテーテル挿入キットの別の保管トレーの、折り曲げられていない板紙製の前身の上面図を提供する。
【図７】図７は、いくつかの実施形態に係る図６Ａの別の入れ子になったトレーを互いに固定するためのトレー固定機構の断面図を提供する。
【発明を実施するための形態】
【００２９】
いくつかの特定の実施形態についてより詳細に開示される前に、ここで開示されている特定の実施形態は、ここで提供されているコンセプトの範囲を限定しないことが理解されるべきである。ここで開示されている特定の実施形態は、特定の実施形態から容易に分離でき、ここで開示されている他のいくつかの実施形態のいずれかと任意に組み合わせるまたは置き換えることができる、特徴を有し得ることも理解されるべきである。
【００３０】
ここで用いられている用語に関して、用語はいくつかの特定の実施形態を説明することを目的とするものであり、用語はここで提供されているコンセプトの範囲を限定しないことも理解されるべきである。序数（例えば第１、第２、第３など）は一般的に、特徴や段階のグループ内の異なる特徴や段階を区別もしくは識別するために用いられ、連続性や数値による制限を提供しない。例えば、第１、第２、第３の特徴や段階はその順序で現れる必要はなく、そのような特徴や段階を含む特定の実施形態がその３つの特徴や段階に制限される必要もない。「左」、「右」、「前」、「後」、「頂」、「底」、「表」、「裏」、「時計回り」、「反時計回り」、「上」、「下」等のラベルや、「上側」、「下側」、「後の」、「前の」、「垂直の」、「平行の」、「基部の」、「末端の」等のような他の類似の語句やそれらに似た語句は便宜上用いられ、例えば、特定の決められた位置、方角、方向等を意味することは意図していない。その代わりに、そのようなラベルは、例えば、相対的な位置、方角、方向等を反映させるために用いられる。"a","an","the"の単数形は、文脈が単数であることを明確に示していなければ、複数への参照を含む。
【００３１】
例えば、ここで開示されているカテーテルの「近位の」、「近位部」、または「近位端部」に関しては、カテーテルが患者に対して使用される際に、臨床医の近くに位置することを意図されたカテーテルの部分を含む。同様に、例えば、カテーテルの「近位長さ」は、カテーテルが患者に対して使用される際に、臨床医の近くに位置することを意図されたカテーテルの長さを含む。例えば、カテーテルの「近位端」は、カテーテルが患者に対して使用される際に、臨床医の近くに位置することを意図されたカテーテルの端部を含む。カテーテルの、近位部、近位端部、または近位長さは、カテーテルの近位端を含み得る。しかしながら、カテーテルの、近位部、近位端部、または近位長さは、カテーテルの近位端を含む必要はない。すなわち、文脈が別のことを示唆しない限り、カテーテルの、近位部、近位端部、または近位長さは、カテーテルの、末端部、または末端の長さではない。
【００３２】
例えば、ここで開示されているカテーテルの「遠位の」、「遠位部」、または「遠位端部」に関しては、カテーテルが患者に対して使用される際に、患者の近くまたは患者の体内に位置することを意図されたカテーテルの部分を含む。同様に、例えば、カテーテルの「遠位長さ」は、カテーテルが患者に対して使用される際に、患者の近くまたは患者の体内に位置することを意図されたカテーテルの長さを含む。例えば、カテーテルの「遠位端」は、カテーテルが患者に対して使用される際に、患者の近くまたは患者の体内に位置することを意図されたカテーテルの端部を含む。カテーテルの、遠位部、遠位端部、または遠位長さは、カテーテルの遠位端を含み得る。しかしながら、カテーテルの、遠位部、遠位端部、または遠位長さは、カテーテルの遠位端を含む必要はない。すなわち、文脈が別のことを示唆しない限り、カテーテルの、遠位部、遠位端部、または遠位長さは、カテーテルの、末端部、または末端の長さではない。
【００３３】
その他の意味に定義されていなければ、ここで用いられる全ての技術的もしくは科学的な用語は、その分野の当業者によって一般的に理解されている意味と同じ意味を有する。
尿道カテーテルは病院等の医療施設で患者から尿を排出させるために用いられる。しかしながら、院内感染（ＨＡＩ）の２番目に多い形態は、カテーテル関連尿路感染症（ＣＡＵＴＩ）である。そのため、病院は、標準治療の一環として厳格な無菌技術に準拠することにより、ＣＡＵＴＩの発症率を削減する方法に関心を持っている。しかし、病院のその標準治療を満たす能力に影響を与える多くの要因が存在する。これらの要因は、医療従業者の訓練と経験の側面と、患者の要因（例えば、一般的な健康状態、体重、解剖学的構造）と、環境要因と、キットの構成要素、キットの構成要素の様々なレイアウト、及びそのようなキットを使用するための指示、を含む尿道カテーテル挿入キットの特性と、を含む。医療分野では、尿道カテーテルを患者に挿入するための、簡単で安全で信頼性の高い標準的な方法が必要である。ここで開示されているのは、尿道カテーテルを患者に挿入するための、簡単で安全で信頼性の高い標準的な方法を提供することにより、ＣＡＵＴＩの発症率を削減する、使用のための統合された指示及びその方法を備えた尿道カテーテル挿入キットである。
【００３４】
尿道カテーテル挿入キット
図１Ａは、いくつかの実施形態に係る、尿道カテーテル挿入キット１００の作業トレー１１０内のいくつかの構成要素を少なくとも含む、尿道カテーテル挿入キット１００の斜視図を提供する。図１Ｂ〜図１Ｄは、図１Ａの尿道カテーテル挿入キット１００の異なる図を提供する。尿道カテーテル挿入キット１００において有用な、図１Ａ〜図１Ｄに示されていない追加の構成要素は、参照により本明細書にその全体が組み込まれている米国特許出願公開第２０１６／０２２８６７６号明細書および米国特許出願公開第２０１７／０２１６５５８号明細書内に記載されている。そのような構成要素は、これらに限られないが、安定化装置（例えばＣ．Ｒ．Ｂａｒｄ  ＩｎｃのＳｔａｔＬｏｃｋ（登録商標）フォーリー安定化装置）、準備ボール（例えば脱脂綿のボール）、鉗子、カテーテル法または尿サンプリングの詳細を記入できるラベル、患者の上に掛けるための穴の開いたドレープ、患者の下に敷くためのアンダーパッド、手袋（例えばラテックスまたはラテックスフリーの手袋）、作業トレーおよび保管トレーを包むための滅菌ラップ（例えば中央材料室“ＣＳＲ”ラップ）、ベリーバンド（例えば作業トレーと保管トレーの周りの所定の位置に滅菌ラップを保持するためのもの）、手指消毒剤、ウェットティッシュ（例えばカスティール石鹸タオル）、少なくとも作業トレーに印刷された説明に対する追加の説明（例えば臨床医向けの説明シート、患者向けの説明パンフレット等）、安全上の考慮事項のチェックリスト、患者情報チャート、挿入シート、包装ラベル、から選択された任意の１つ以上の構成要素を含み得る。図２Ａ，２Ｂは、いくつかの実施形態に係る、尿道カテーテル挿入キット１００の別の入れ子になったトレーの異なる図を提供する。図３Ａ，３Ｂは、いくつかの実施形態に係る、尿道カテーテル挿入キット１００のさらに別の入れ子になったトレーの異なる図を提供する。図６Ａは、いくつかの実施形態に係る尿道カテーテル挿入キット１００のさらに別のトレーの斜視図を提供する。
【００３５】
尿道カテーテル挿入キット１００は、作業トレー１１０と、保管トレー１２０と、尿道カテーテル１３２（例えばフォーリーカテーテル）と、排出管及び排出容器（例えばオプションで尿メータを含む排出バッグ）を含む排出システム（図示されていない）と、を含み得る（排出管及び排出容器に加えて尿メータを含む排出システムの詳細については、米国特許出願公開第２０１６／０２２８６７６号明細書および米国特許出願公開第２０１７／０２１６５５８号明細書参照）。
【００３６】
作業トレー１１０は、保管トレー１２０から作業トレー１１０を吊すことにより、保管トレー１２０と入れ子になるように構成され得る。少なくとも作業トレー１１０は、尿道カテーテル挿入キット１００のいくつかの構成要素をそれぞれ保持するように構成された、いくつかの事前形成されたセクションを有し得る。例えば、作業トレー１１０の事前形成されたセクションのうちの少なくとも１つのセクションは、カテーテル１３２を保持するように構成されたカテーテルセクション１１２を含み得る。
【００３７】
保管トレー１２０は、保管トレー１２０の端部に設けられた切り欠き１２１のような開口を含み得る。保管トレー１２０の端部に設けられた切り欠き１２１のような開口は、作業トレー１１０からの作業中に、保管トレー１２０に保管された尿道カテーテル挿入キット１００の構成要素へのアクセスを容易にするように構成され得る。例えば、必要とされるまで、排出システムは、作業トレー１１０からの作業中に、保管トレー１２０に保管され得る。開口または切り欠き１２１はまた、必要であれば、作業トレー１１０の底部を支えながら作業トレー１１０を保管トレー１２０の外部へ持ち上げるために、作業トレー１１０の底部へのアクセスを許可する。とは言え、いくつかの実施形態に係る作業トレー１１０は、保管トレー１２０に固定（例えば締結、接着、等）され得る。そのような実施形態では、尿道カテーテル挿入キット１００は、カテーテル挿入の手順を通して、作業トレー１１０が保管トレー１２０に固定されたままになるように設計される。実際に、図６Ｂに示すように、説明は、作業トレー１１０を保管トレー１２０から分離させないために、少なくとも作業トレー１１０に直接印刷された段階的なカテーテル挿入の説明とともに含まれ得る。
【００３８】
図６Ａの保管トレー１２０は、尿道カテーテル挿入キット１００の折り曲げられた板紙製の保管トレーである。図６Ｃは、上記の折り曲げられた板紙製の保管トレーの、折り曲げられていない板紙製の前身を提供する。一度、板紙製の前身が、示されている折り線に沿って折り曲げられると、結果として得られる保管トレー１２０は、それによって作業トレー１１０と保管トレー１２０とをともに固定するための固定機構（図７参照）の一部を形成する、作業トレー１１０内に形成されるいくつかの突起（図６Ａ参照）に係合するように構成された、折り返された長手方向の縁を有する。折り返された長手方向の縁の代替として、図６Ｃの板紙製の前身は、板紙製の前身を折り曲げることによっていくつかの折り返されたタブを形成するように構成された、長手方向の縁に沿ったいくつかのタブを含み得る。折り返されたタブは、作業トレー１１０内に形成されたいくつかの突起と係合するように構成される。
【００３９】
作業トレー１１０は、カテーテルセクション１１２の底部と端部との間に形成されたカテーテルセクション１１２のコーナー領域に切り欠き１１１を有し得る。カテーテルセクション１１２のコーナー領域の切り欠き１１１は、例えば、排出管が保管トレー１２０に保管された際に、排出システムの排出管が切り欠き１１１の底部を通って保管トレー１２０から作業トレー１１０に通過できるように構成され得る。カテーテルセクション１１２のコーナー領域の切り欠き１１１の側面は、排出システムとカテーテル１３２が尿道カテーテル挿入キット１００において事前に接続されている場合に、排出管をカテーテル１３２から切り離さずに、排出管を保管トレー１２０から取り外すことを可能にするように構成され得る。対して、もしカテーテルセクション１１２の端部が欠けておらず、切り欠き１１１がカテーテルセクション１１２の底部のみから成る（すなわち、切り欠き１１１がカテーテルセクション１１２の底部に存在する穴である）なら、排出システムとカテーテル１３２とが事前に接続されている場合、排出管、そしてカテーテル１３２は、切り欠き１１１を通して引っ張られなければならず、それはカテーテル１３２の汚染の危険性がある。あるいは、排出システムとカテーテル１３２とが事前に接続されている場合、排出管は、カテーテル１３２から取り外されなければならず、それもまた、排出管をカテーテル１３２から取り外すこと、もしくは排出管をカテーテル１３２に繋ぎなおすことにより、カテーテル１３２の汚染の危険性がある。
【００４０】
作業トレー１１０は、図６Ｂに示すように、カテーテルセクション１１２のコーナー領域の切り欠き１１１とカテーテルセクション１１２の残りの部分との間に、排出管狭窄部１１３を含み得る。排出管狭窄部１１３は、排出システムとカテーテル１３２が事前に接続されている場合、排出管の一部を保持するように構成され得る。排出管狭窄部１１３内の排出管を保持することにより、作業トレー１１０内の、上記の事前に接続された尿道カテーテル１３２の、最初または製造時の位置は、尿道カテーテル１３２が尿道カテーテル挿入のために用いられるまで維持され得る。示されているように、排出管狭窄部１１３は、排出管狭窄部１１３内で排出管を保持するように構成されたスナップインタブを含み得る。
【００４１】
作業トレー１１０は、作業トレー１１０の底側から突出するいくつかの突起１０４を含み得る。いくつかの突起１０４の各々はまた、図６Ａに示すように、作業トレー１１０の上側にウェルを形成する。特に、いくつかの突起１０４は、作業トレー１１０の四隅またはその近くの、それぞれ３つの突起１０４の４つのセットのような、作業トレー１１０の周りの３つのセットとして示されているが、特定の作業トレー１１０には、突起１０４の各セットのうち１つの突起のみが存在する。例えば、突起１０４の各セットの第１の突起は第１の作業トレー１１０に存在し、突起１０４の各セットの第２の突起は第２の作業トレー１１０に存在し、突起１０４の各セットの第３の突起は第３の作業トレー１１０に存在し、突起１０４の数のために、作業トレーは別の作業トレーと一致しない。実際に、いくつかの突起１０４は、２つ以上の上記の作業トレーを成形（例えば、熱成形）して、互いに入れ子にした後など、いくつかの突起１０４を含む２つ以上の作業トレーが互いに入れ子になるのがきつくなりすぎるのを防ぐように構成される。
【００４２】
作業トレー１１０は、作業トレー１１０の作業領域内から見て、作業トレー１１０の少なくとも長手方向の側面に、いくつかのくぼみ１０８を含み得る。（例えば、図６Ａ，７参照）いくつかのくぼみ１０８は、作業トレー１１０の少なくとも長手方向の側面と作業トレー１１０の張り出し部１２２（図７参照）との間に、対応するいくつかの突起を提供し、それにより、作業トレー１１０と保管トレー１２０を互いに固定するための固定機構の別の部分を形成する。張り出し部１２２により、作業トレー１１０は、図６Ａの保管トレー１２０の折り曲げられた長手方向の縁またはタブの、作業トレー１１０の長手方向の側面と張り出し部１２２との間の間隙への挿入のために構成される。示されているように、いくつかのくぼみ１０８によって提供されるいくつかの突起は、保管トレー１２０の折り曲げられた長手方向の縁またはタブと係合するように構成され、それにより、作業トレー１１０と保管トレー１２０とを互いに固定し、それらの分離を防ぐ。特に、作業トレー１１０の長手方向の側面と張り出し部１２２との間の間隙は、保管トレー１２０の折り曲げられた長手方向の縁またはタブに、長手方向の縁またはタブを保管トレー１２０の板紙の長手方向の側面に押し込むことにより形成される折り曲げられた長手方向の縁またはタブの折り目の範囲内で、ばねの力のもとで広がるための空間を提供するような寸法に形成される。加えて、いくつかの突起は、成形（例えば熱成形）と同じぐらい鋭く突出し、保管トレー１２０の折り曲げられた長手方向の縁またはタブに係合するために、いくつかの突起の係合面を可能な限り平坦にすることができる。図７に示されている上記の固定機構は、作業トレー１１０と保管トレー１２０とを固定するための第２の機構（例えば接着）の必要性を除去する。
【００４３】
カテーテル１３２は、カテーテル１３２を排出システムに接続する際の失敗の可能性を最小限に抑えるために、排出システムに事前に接続されることができ、それにより、汚染の可能性も最小限に抑えられる。カテーテル１３２と排出管との間で、コネクタ１３４が、カテーテル１３２と排出管とを接続するために使用され得る。コネクタ１３４は、尿サンプリングを容易にするように構成される尿サンプリングポートを含み得る。
【００４４】
作業トレー１１０の事前形成されたセクションのうちの少なくとも１つのセクションは、カテーテル１３２を潤滑するために潤滑剤ウェル１０９に分配された潤滑剤を保持するように構成された潤滑剤ウェル１０９を含み得る。例えば、図１Ａ〜１Ｄ，３Ａおよび３Ｂの実施形態は、カテーテルセクション１１２の一部として潤滑剤ウェル１０９を含む。あるいは、作業トレー１１０は、潤滑剤ウェル１０９を含まず、カテーテル１３２を潤滑するように追加で構成された別のセクションを含む。例えば、図２Ａおよび２Ｂの実施形態は、カテーテルセクション１１２の一部として潤滑剤ウェル１０９を含まず、潤滑剤ウェル１０９の代わりに、カテーテル１３２を潤滑するための追加の空間を含む。
【００４５】
尿道カテーテル挿入キット１００はさらに、カテーテル１３２用の潤滑剤を含む、収容する、または満たされる、潤滑剤容器１３６（例えば、シリンジ、パケット、ポッド、バイアル等）を含み得る。作業トレー１１０の事前形成されたセクションのうちの少なくとも１つのセクションは、潤滑剤容器１３６を保持するように構成された潤滑剤容器セクション１１４（例えば、潤滑剤シリンジセクション、潤滑剤パケットセクション、潤滑剤ポッドセクション、潤滑剤バイアルセクション等）を含み得る。潤滑剤容器セクション１１４は、潤滑剤容器１３６を収容するように事前形成され得る。しかしながら、潤滑剤容器セクション１１４は、潤滑剤容器１３６のすべての特徴に適合する必要はない。例えば、潤滑剤容器１３６がシリンジである場合、潤滑剤容器セクション１１４（例えば、潤滑剤シリンジセクション）は、シリンジのフランジ用の凹部を含む必要はない。すなわち、潤滑剤容器セクション１１４は、シリンジを収容するために、少なくともシリンジのフランジと同等の一定の幅または深さを有し得る。実際に、潤滑剤容器セクション１１４は、本明細書に記載の任意のタイプの潤滑剤容器１３６の最大の幅または直径と同等の一定の幅または深さを有し得る。
【００４６】
尿道カテーテル挿入キット１００はさらに、カテーテル１３２のバルーンを膨らませるための膨張剤（例えば生理食塩水）を含む、収容する、または満たされる、膨張剤容器１３８（例えばシリンジ）を含み得る。作業トレー１１０の事前形成されたセクションのうちの少なくとも１つのセクションは、膨張剤容器１３８を保持するように構成された膨張剤容器セクション１１６（生理食塩水シリンジセクション）を含み得る。膨張剤容器セクション１１６は、膨張剤容器１３８を収容するように事前形成され得る。しかしながら、膨張剤容器セクション１１６は、膨張剤容器１３８のすべての特徴に適合する必要はない。例えば、膨張剤容器１３８がシリンジである場合、膨張剤容器セクション１１６（例えば、生理食塩水シリンジセクション）は、シリンジのフランジ用の凹部を含む必要はない。すなわち、膨張剤容器セクション１１６は、シリンジを収容するために、少なくともシリンジのフランジと同等の一定の幅または深さを有し得る。実際に、膨張剤容器セクション１１６は、本明細書に記載の任意のタイプの膨張剤容器１３８の最大の幅または直径と同等の一定の幅または深さを有し得る。
【００４７】
示されているように、潤滑剤容器セクション１１４と膨張剤容器セクション１１６は、形状およびサイズが同等であり得る。例えば、潤滑剤容器セクション１１４と膨張剤容器セクション１１６とは、同じ長さ、幅、作業トレー１１０の共通の上面からの深さ、またはそれらの組み合わせを有し得る。あるいは、潤滑剤容器セクション１１４と膨張剤容器セクション１１６の各々は、図６Ｂに示すように、異なる形状またはサイズを有し得る。図１Ｂ，２Ｂ，３Ｂ，４Ｂおよび６Ｂに示されているような潤滑剤容器セクション１１４と膨張剤容器セクション１１６との間の開口は、１本以上の指で潤滑剤容器１３６または膨張剤容器１３８をすくい上げて、作業トレー１１０から取り出す、横方向のアプローチのために構成された、アクセススペースを提供する。潤滑剤容器１３６または膨張剤容器１３８のどちらかの容器がシリンジである場合、横方向のアプローチは、縦方向のアプローチによってシリンジを取り扱うことを不要にし、それは、シリンジのプランジャをそのバレルに押し込むことによって、潤滑剤または膨張剤の不慮の分配を防ぐ。潤滑剤容器セクション１１４と膨張剤容器セクション１１６の各々は、潤滑剤容器１３６または膨張剤容器１３８の最大の幅または直径と同等の形状であるので、開口は上記のセクションの全長に沿って任意の場所に存在し得る。すなわち、開口は、潤滑剤容器１３６または膨張剤容器１３８のいずれのどの部分を収容するためにも必要とされない。しかしながら、潤滑剤容器１３６または膨張剤容器１３８のいずれかがシリンジである場合、潤滑剤または膨張剤の不慮の分配をさらに防ぐために、バレルによるシリンジの取り扱いを促進するためにシリンジのバレルの周りに開口を有することが有益である。
【００４８】
尿道カテーテル挿入キット１００はさらに、消毒剤のパッケージ（図示されていない）と、１つ以上の綿棒１４４を有する生殖器準備キットを含み得る（生殖器準備キットの詳細については、米国特許出願公開第２０１６／０２２８６７６号明細書および米国特許出願公開第２０１７／０２１６５５８号明細書参照）。作業トレー１１０の事前形成されたセクションのうちの少なくとも１つのセクションは、パッケージからの消毒剤（例えばポビドンヨード溶液）を保持するためのウェル１１７によって構成された生殖器準備セクション１１８を含み得る。生殖器準備セクション１１８はまた、ウェル１１７内に、対応する１つ以上の吸収ヘッドを有する１つ以上の綿棒１４４をそれぞれ保持する１つ以上の角度のついたチャネル１１９を含み得る。パッケージからの消毒剤がウェル１１７に分配される際に１つ以上の吸収ヘッドに消毒剤が染み込むように、ウェル１１７は、パッケージからの消毒剤の体積と１つ以上の吸収ヘッドの体積を足した合計の体積に等しい体積になるような寸法に形成される。示されているように、１つ以上の角度のついたチャネル１１９は、１つ以上の角度のついたチャネル１１９内の１つ以上の綿棒をそれぞれ保持するように構成されたスナップインタブ１２１を含み得る。
【００４９】
尿道カテーテル挿入キット１００はさらに、尿サンプリング容器１５２を含み得る。作業トレー１１０の事前形成されたセクションのうちの少なくとも１つのセクションは、尿サンプリング容器１５２を保持するように構成された尿サンプリング容器セクション１１５を含み得る（図１Ａ〜１Ｄ，２Ａおよび２Ｂの実施形態参照）。あるいは、作業トレー１１０の代わりに、保管トレー１２０が尿サンプリング容器１５２を保持するように構成され得る（例えば、作業トレー１１０に尿サンプリング容器セクション１１５が含まれていない図３Ａおよび３Ｂの実施形態参照）。作業トレー１１０の代わりに、尿サンプリング容器１５２を保持するように保管トレー１２０を構成することは、作業トレー１１０の高さを最小化する。
【００５０】
尿道カテーテル挿入キット１００はさらに、少なくとも作業トレー１１０に直接印刷された段階的なカテーテル挿入の説明１０２を含み得る。少なくともいくつかの説明１０２は、どのようにカテーテル挿入のステップを実行するかを、位置によって明示的にまたは暗示的に示唆する場所に配置され得る。例えば、生殖器準備セクション１１８は、消毒剤をそのパッケージからウェル１１７に分配するためのウェル１１７内の説明のような、明示的な説明を生殖器準備セクション１１８内に含み得る（例えば図２Ｂ参照）。例えば、カテーテルセクション１１２は、カテーテル１３２を潤滑するために潤滑剤をカテーテルセクション１１２に分配するための暗示的な説明を、カテーテルセクション１１２内に含み得る（例えば、図６Ｂの作業トレー１１０のカテーテルセクション１１２の中央の支えの上にある説明参照）。少なくともいくつかの説明１０２は、カテーテル挿入のステップと同調してあらわにされ得る。例えば、消毒剤のパッケージを生殖器準備セクション１１８から取り出すことは、１つ以上の対応する綿棒の１つ以上の吸収ヘッドに消毒剤を染み込ませるために、消毒剤をパッケージから生殖器準備セクション１１８のウェル１１７へ分配するための説明をあらわにできる。カテーテル挿入の説明１０２をこのようにあらわにすることは、一度に大量のステップによってカテーテル挿入を実行する臨床医を圧倒しない。
【００５１】
尿道カテーテル挿入キット１００はさらに、少なくとも作業トレー１１０の構成要素を保護するように構成された保護板紙（図示されていない）を含み得る。作業トレー１１０は、板紙を保持するように構成された、作業トレー１１０の外周部の周りのリップ１０１を含み得る。
【００５２】
尿道カテーテル挿入キット１００はさらに、周囲の手入れキット（図示されていない）を含み得る（周囲の手入れキットの詳細については、参照により本明細書にその全体が組み込まれている米国特許出願公開第２０１６／０２２８６７６号明細書および米国特許出願公開第２０１７／０２１６５５８号明細書参照）。尿道カテーテル挿入キット１００は、板紙と尿道カテーテル挿入キット１００の外側のパッケージ（例えば、Ｔｙｖｅｋ（登録商標））との間に、周囲の手入れキットを含むように構成され得る。
【００５３】
そのような尿道カテーテル挿入キット１００は、いくつかの実施形態では、尿道カテーテル１３２、カテーテル１３２を潤滑するための潤滑剤を含む潤滑剤容器１３６、カテーテル１３２のバルーンを膨らませるための膨張剤を含む膨張剤容器１３８、および消毒剤のパッケージと１つ以上の綿棒１４４とを含む生殖器準備キット、を有する作業トレー１１０と、排出管及び排出容器を含む排出システムを有する保管トレー１２０と、少なくとも作業トレー１１０に直接印刷された段階的なカテーテル挿入の説明１０２と、尿道カテーテル挿入キット１００の周りのＴｙｖｅｋ（登録商標）の外側のパッケージと、を含む。少なくとも作業トレー１１０は、尿道カテーテル挿入キット１００のいくつかの構成要素をそれぞれ保持する、いくつかの事前形成されたセクションを有する。作業トレー１１０の事前形成されたセクションは、少なくとも、カテーテル１３２を含むカテーテルセクション１１２と、潤滑剤容器１３６を含む潤滑剤容器セクション１１４と、膨張剤容器１３８を含む膨張剤容器セクション１１６と、消毒剤のパッケージと１つ以上の綿棒を含む生殖器準備セクション１１８と、を有する。作業トレー１１０の事前形成されたセクションは、いくつかの構成要素の作業トレー１１０上の明示的な識別なしに、少なくとも作業トレー１１０に直接印刷された段階的なカテーテル挿入の説明１０２を含む。
【００５４】
カテーテルセクション１１２は、カテーテル１３２を潤滑する際に、潤滑剤容器１３６から分配された潤滑剤を保持するように構成される。潤滑剤容器セクション１１４と膨張剤容器セクション１１６とは、作業トレー１１０の共通の上面からの同じ一定の深さを有する。生殖器準備セクション１１８は、パッケージからの消毒剤を保持するためのウェル１１７によって構成される。生殖器準備セクション１１８はまた、ウェル１１７内に、吸収ヘッドを有する１つ以上の綿棒１４４を保持する１つ以上の角度のついたチャネル１１９を含む。作業トレー１１０は、作業トレー１１０が保管トレー１２０から吊り下げられる、入れ子構成によって保管トレー１２０に固定される。作業トレー１１０は、カテーテルセクション１１２の底部と端部との間に形成されたカテーテルセクション１１２のコーナー領域に切り欠き１１１を有する。排出システムは、尿サンプリングポートを有するコネクタ１３４を介してカテーテル１３２に事前に接続される。カテーテルセクション１１２のコーナー領域の切り欠き１１１は、排出管がカテーテルセクション１１２のコーナー領域の切り欠き１１１の底部を通って、排出システムが保管される保管トレー１２０から作業トレー１１０に通過できるように構成される。
【００５５】
そのような尿道カテーテル挿入キット１００はまた、いくつかの実施形態では、フォーリーカテーテル、カテーテル１３２を潤滑するための潤滑剤で満たされたシリンジ、カテーテル１３２のバルーンを膨らませるための生理食塩水で満たされたシリンジ、消毒剤のパッケージと１つ以上の綿棒１４４とを含む生殖器準備キット、および尿サンプリング容器１５２、を有する作業トレー１１０と、排出管及び排出容器を含む排出システムを有する保管トレー１２０と、少なくとも作業トレー１１０に直接印刷された段階的なカテーテル挿入の説明１０２と、を含む。少なくとも作業トレー１１０は、尿道カテーテル挿入キット１００のいくつかの構成要素をそれぞれ保持する、いくつかの事前形成されたセクションを有する。作業トレー１１０の事前形成されたセクションは、少なくとも、カテーテル１３２を含むカテーテルセクション１１２と、潤滑剤で満たされたシリンジを含む潤滑剤シリンジセクションと、生理食塩水で満たされたシリンジを含む生理食塩水シリンジセクションと、消毒剤のパッケージと１つ以上の綿棒１４４とを含む生殖器準備セクション１１８と、を有する。作業トレー１１０の事前形成されたセクションのうちの少なくとも１つのセクションは、尿サンプリング容器１５２を含む尿サンプリング容器セクション１１５を有する。
【００５６】
あるいは、作業トレー１１０の代わりに、保管トレー１２０が尿サンプリング容器１５２を保持するように構成され得る。生殖器準備セクション１１８は、パッケージからの消毒剤を保持するためのウェル１１７によって構成される。生殖器準備セクション１１８はまた、ウェル１１７内に、吸収ヘッドを有する１つ以上の綿棒１４４を保持する１つ以上の角度のついたチャネル１１９を含む。作業トレー１１０は、保管トレー１２０から作業トレー１１０を吊すことにより、保管トレー１２０と入れ子になるように構成される。作業トレー１１０は、カテーテルセクション１１２の底部と端部との間に形成されたカテーテルセクション１１２のコーナー領域に切り欠き１１１を有する。排出システムは、尿サンプリングポートを有するコネクタ１３４を介してカテーテル１３２に事前に接続される。カテーテルセクション１１２のコーナー領域の切り欠き１１１は、排出管がカテーテルセクション１１２のコーナー領域の切り欠き１１１の底部を通って、排出システムが保管される保管トレー１２０から作業トレー１１０に通過できるように構成される。
【００５７】
図４Ａは、本発明の別の実施形態を示す。尿道カテーテル挿入キット２００は、尿サンプリング容器セクション２１５と、シリンジ区画２１４と、第２シリンジ区画２１６と、保管トレーから作業トレーを分離するベース２５０と、を含む。特定の実施形態によると、ベース２５０は、作業トレーにしっかりと固定されるように構成され、例えば、ベース２５０は、取り外されるように構成されていない。フィーチャ２６０ａ〜２６０ｅは、ベース２５０の作業トレーと保管トレーとの間へのしっかりとした固定を補助するように構成される。
【００５８】
図４Ｂは、作業トレー２１０と保管トレー２２０を含み、保管トレー２２０の端部に開口２２１を含み得る、図４Ａのトレーの別の実施形態を示す。
図５は、本開示に係るカテーテル挿入トレーのさらに別の実施形態を示す。ベース２５０は、保管トレー内により多くの空間を有することを可能にする隆起部２５２を有する。さらに、この実施形態では、フィーチャ２６０ｃは存在しない。
【００５９】
方法
尿道カテーテル挿入キット１００を用いた尿道カテーテル挿入の方法いくつかの実施形態では、尿道カテーテル挿入キット１００から外側のパッケージを取り除くことと、周囲の手入れキットを用いて患者の肛門周囲の領域を清潔にすることと、生殖器準備キットを用いて患者の生殖器領域の準備をすることと、カテーテル１３２（例えば、フォーリーカテーテル）を用いて患者にカテーテルを挿入することと、を含み得る。尿道カテーテル挿入キット１００から外側のパッケージを取り除くことは、少なくとも作業トレー１１０に直接印刷された段階的なカテーテル挿入の説明１０２を備え、保管トレー１２０に吊り下げられて入れ子になった作業トレー１１０をむき出しにし得る。作業トレー１１０は、尿道カテーテル挿入キット１００を用いた尿道カテーテル挿入の方法のためのいくつかの構成要素をそれぞれ保持する、いくつかの事前形成されたセクションを有し得る。尿道カテーテル挿入キット１００から外側のパッケージを取り除くことはさらに、板紙の下の作業トレー１１０内の尿道カテーテル挿入キット１００の構成要素を保護するように構成された保護板紙をむき出しにし得る。
【００６０】
周囲の手入れキットを用いて患者の肛門周囲の領域を清潔にすることは、尿道カテーテル挿入キット１００の外側のパッケージと作業トレー１１０の上部の板紙との間から周囲の手入れキットを取り外すことを含み得る。生殖器準備キットを用いて患者の生殖器領域の準備をすることは、生殖器準備キットの消毒剤のパッケージと１つ以上の綿棒１４４を用いることを含み得る。患者の生殖器領域の準備をすることは、作業トレー１１０の生殖器準備セクション１１８から消毒剤のパッケージを取り外すことと、消毒剤のパッケージを開けることと、消毒剤を生殖器準備セクション１１８のウェル１１７に分配することと、それにより、生殖器準備セクション１１８の１つ以上の角度のついたチャネル１１９内にそれぞれ保持された１つ以上の対応する綿棒１４４の１つ以上の吸収ヘッドに染み込ませることを含み得る。カテーテル１３２を用いて患者にカテーテルを挿入することは、作業トレー１１０のカテーテルセクション１１２からカテーテル１３２を取り外すことと、カテーテル１３２を排出システムの排出管と排出容器のどちらからも外すことなく、保管トレー１２０から排出システムを取り外すことを含み得る。
【００６１】
作業トレー１１０は、カテーテルセクション１１２の底部と端部との間に形成されたカテーテルセクション１１２のコーナー領域に切り欠き１１１を有し得る。切り欠き１１１は、作業トレー１１０のカテーテルセクション１１２からカテーテル１３２を取り外すことと、カテーテル１３２を排出システムから外すことなく保管トレー１２０から排出システムを取り外すことと、の両方を可能にし得る。作業トレー１１０が、排出管狭窄部１１３を含む場合、作業トレー１１０からカテーテル１３２を取り出すことと、保管トレー１２０から排出システムを取り出すこととは、排出管を作業トレー１１０の排出管狭窄部１１３から取り出すことを含む。
【００６２】
消毒剤のパッケージを開けることと、消毒剤を作業トレー１１０の生殖器準備セクション１１８のウェル１１７に分配することとは、作業トレー１１０に直接印刷された段階的なカテーテル挿入の説明１０２に従い得る。これらのカテーテル挿入の説明１０２は、作業トレー１１０に直接印刷されている、方法の第１および第２のステップとして、図２Ｂおよび３Ｂに示されている。
【００６３】
患者の生殖器領域の準備をすることは、作業トレー１１０に直接印刷された段階的なカテーテル挿入の説明１０２に従い、利き手と逆の手を用いて患者の生殖器を引っ込めることと、利き手を用いて消毒剤で患者の生殖器を綿棒で拭くことと、を含み得る。これらのカテーテル挿入の説明１０２は、作業トレー１１０に直接印刷されている、方法の第５および第６のステップとして、図２Ｂおよび３Ｂに示されている。
【００６４】
方法はさらに、作業トレー１１０の潤滑剤シリンジセクションから潤滑剤で満たされたシリンジを取り外すことと、潤滑剤で満たされたシリンジから、潤滑剤シリンジセクション、カテーテルセクション１１２、または作業トレー１１０の別の事前形成されたセクションに潤滑剤を分配することと、作業トレー１１０に分配された潤滑剤でカテーテル１３２を潤滑することと、を含み得る。少なくとも、潤滑剤を作業トレー１１０の事前形成されたセクション（例えば、カテーテルセクション１１２）に分配することと、作業トレー１１０に分配された潤滑剤でカテーテル１３２を潤滑することとは、作業トレー１１０に直接印刷された段階的なカテーテル挿入の説明１０２に従い得る。このカテーテル挿入の説明は、作業トレー１１０に直接印刷されている、方法の第４のステップとして、図２Ｂおよび３Ｂに示されている。潤滑剤シリンジセクションから潤滑剤で満たされたシリンジを取り出すことは、カテーテル１３２を潤滑するために、潤滑剤を潤滑剤で満たされたシリンジからカテーテルセクション１１２に分配するための、潤滑剤シリンジセクションの底部に直接印刷されたカテーテル挿入の説明をあらわにし得る。カテーテル挿入の説明１０２をこのようにあらわにすることは、カテーテル挿入を実行する臨床医が、一度に大量のステップによって圧倒されないようにする。
【００６５】
方法はさらに、作業トレー１１０の生理食塩水シリンジセクションから生理食塩水で満たされたシリンジを取り外すことと、カテーテル１３２のバルーンを膨らませるために生理食塩水で満たされたシリンジをカテーテル１３２に取り付けることと、を含み得る。少なくとも、カテーテル１３２に生理食塩水で満たされたシリンジを取り付けることは、作業トレー１１０に直接印刷された段階的なカテーテル挿入の説明１０２に従い得る。このカテーテル挿入の説明は、作業トレー１１０に直接印刷されている、方法の第３のステップとして、図２Ｂおよび３Ｂに示されている。
【００６６】
患者にカテーテルを挿入することは、カテーテル１３２を患者の尿道に挿入することと、生理食塩水で満たされたシリンジからの生理食塩水でバルーンを膨らませることと、を含み得る。少なくとも、生理食塩水で満たされたシリンジからの生理食塩水でバルーンを膨らませることは、作業トレー１１０に直接印刷された段階的なカテーテル挿入の説明１０２に従い得る。このカテーテル挿入の説明は、作業トレー１１０に直接印刷されている、方法の第７のステップとして、図２Ｂおよび３Ｂに示されている。
【００６７】
いくつかの特定の実施形態がここで開示され、特定の実施形態はある程度詳細に開示されているが、特定の実施形態がここで提供されているコンセプトの範囲を制限することは意図されていない。追加の改良及び／または修正は当業者にとって明らかであり得て、より広い態様では、これらの改良及び／または修正も同様に包含される。従って、ここで提供されているコンセプトの範囲から逸脱せずに、ここで開示されている特定の実施形態から逸脱してもよい。
【図１Ａ】
2021528162.tif 000003
【図１Ｂ】
2021528162.tif 000004
【図１Ｃ】
2021528162.tif 000005
【図１Ｄ】
2021528162.tif 000006
【図２Ａ】
2021528162.tif 000007
【図２Ｂ】
2021528162.tif 000008
【図３Ａ】
2021528162.tif 000009
【図３Ｂ】
2021528162.tif 000010
【図４Ａ】
2021528162.tif 000011
【図４Ｂ】
2021528162.tif 000012
【図５】
2021528162.tif 000013
【図６Ａ】
2021528162.tif 000014
【図６Ｂ】
2021528162.tif 000015
【図６Ｃ】
2021528162.tif 000016
【図７】
2021528162.tif 000017
【国際調査報告】
2021528162.tif 000018
2021528162.tif 000019
2021528162.tif 000020